(57)【特許請求の範囲】
【請求項１】
原稿が載置される原稿載置板と、
前記原稿載置板に沿って移動可能であって副走査方向に移動しながら前記原稿を読み取る読取ユニットと、
前記読取ユニットを、前記原稿載置板の外側にある原待機位置から副走査方向に移動させて、前記読取ユニットが原稿の全体を含むように定められた範囲であるプレスキャン範囲を読み取るように制御するプレスキャン制御部と、
前記プレスキャン制御部の制御によって前記読取ユニットが読み取った読取結果に基づいて前記原待機位置側に配置されている前記原稿の先端位置を検出する検出部と、
前記原稿の先端位置に対応するように新待機位置を決定する決定部と、
前記読取ユニットを前記新待機位置まで移動させ、前記読取ユニットを前記新待機位置から副走査方向に前記プレスキャン範囲よりも狭く設定されている本スキャン範囲を読み取らせるように制御する本スキャン制御部と、
前記読取ユニットが前記本スキャン範囲を読み取った読取結果に基づいて、印刷対象である媒体に前記原稿の画像を印刷する印刷部と、を備え、
前記読取ユニットが前記本スキャン範囲を読み取った読取結果に基づいて、前記印刷部に前記原稿の画像を前記媒体の一種である円盤状記録媒体のレーベル面に印刷させる本印刷モードと、前記本印刷モードの前に、前記読取ユニットが前記本スキャン範囲を読み取った読取結果に基づいて、前記印刷部に前記原稿の画像を前記媒体の一種である紙媒体に印刷させる仮印刷モードとを設定する設定部を備え、
前記本スキャン制御部は、前記設定部によって前記仮印刷モードが設定された場合、前記読取ユニットが前記本スキャン範囲を読み取り終えた後、前記読取ユニットを前記新待機位置に移動させ、前記設定部によって本印刷モードが設定された場合、前記読取ユニットが前記本スキャン範囲を読み取り終えた後、前記原待機位置に移動させることを特徴とする印刷装置。
【請求項２】
請求項１に記載の印刷装置であって、
前記プレスキャン制御部は、前記読取ユニットを、前記プレスキャン範囲を読み取り終えた読取完了位置で待機させ、
前記本スキャン制御部は、前記決定部が前記新待機位置を決定した後に、前記読取ユニットを前記読取完了位置から前記新待機位置まで移動させることを特徴とする印刷装置。
【請求項３】
請求項１又は請求項２に記載の印刷装置であって、
前記検出部は、原稿載置上における原稿の載置位置を検出し、
更に、
前記検出部が検出した前記原稿の載置位置に基づいて、前記読取ユニットが前記プレスキャン範囲で読み取った読取結果から前記原稿の画像を抽出する抽出部と、
前記抽出部で抽出された前記原稿の画像を表示する表示部と、
前記表示部の表示に基づいて前記本スキャン範囲を設定する設定部と、を備えることを特徴とする印刷装置。
【請求項４】
請求項１ないし請求項３のいずれか一項に記載の印刷装置であって、
前記検出部が、前記読取ユニットの読取結果から前記原稿のエッジを抽出し、その抽出結果に基づいて前記先端位置を検出することを特徴とする印刷装置。
【発明の詳細な説明】
【技術分野】
【０００１】
本発明は、ＣＩＳ等の読取ユニットを移動させながら原稿載置板上に載せられている原稿を走査して画像を読み取る技術を用いた印刷装置に関する。
【背景技術】
【０００２】
ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を利用して原稿載置板上に載せられている原稿を読み取って画像データを取得する画像読取装置が知られている。
【０００３】
この種の装置は、一般的に、フラットベッドスキャナ等と呼ばれており、前記撮像素子を備えた読取ユニットが、前記原稿載置板の板面に対して平行に移動しながら前記原稿を走査（スキャン）している。読取ユニットは、原稿を走査しない時は、原稿載置板の縁側に設けられている待機位置（所謂、ホームポジション）で、静止した状態で待機している。そして読取ユニットは、上記のように移動しながら原稿を走査した後、前記待機位置まで戻り、次の走査に備える。
【０００４】
このような画像読取装置は、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の円盤状記録媒体におけるレーベル面に、原稿から取得された原稿画像を印刷する印刷装置に利用されている。この種の印刷装置は、例えば、特許文献１に示されるように、読取対象であるＣＤ（原稿）の表面を走査して画像データを取得し、その画像データに基づく原稿画像を、印刷対象である他のＣＤ（媒体）のレーベル面に印刷している。
【０００５】
また、特許文献１に示されるように、この種の印刷装置に利用される画像読取装置では、印刷用に原稿から高解像度の画像データを取得する前に、予め低解像度の画像データを取得することが行われている。つまり、高解像度で走査（所謂、本スキャン）する前に、予め原稿を低解像度で走査（所謂、プレスキャン）している。このようにプレスキャンにより取得された画像データは、原稿を本スキャンする範囲を設定する際に利用されている。
【先行技術文献】
【特許文献】
【０００６】
【特許文献１】特開２００５−１１９２６１号公報
【発明の概要】
【発明が解決しようとする課題】
【０００７】
この種の画像読取装置における読取ユニットは、複数回原稿を走査する場合、走査が終了する度に原稿載置板の縁側に設けられている待機位置まで戻ることになる。つまり、読取ユニットは、上述したようなプレスキャンを行った後、本スキャンを行う前に、一旦、前記待機位置まで戻っている。そのため、読取ユニットは、ユーザから本スキャンを行う指示を受け付けると、先ずは前記待機位置から読み取りを開始する位置（読取開始位置）まで移動している。そしてその位置から原稿の読み取りを開始して画像データを取得している。したがって、本スキャンを行う場合、読取ユニットが前記待機位置から読取開始位置へ移動するまで時間が余分に必要であり、結果として本スキャンに時間がかかってしまい、問題となっている。
【０００８】
そこで、本発明は、本スキャンに要する時間を短縮可能な画像読取技術を用いた印刷装置を提供することを目的とする。
【課題を解決するための手段】
【０００９】
本明細書によって開示される印刷装置は、原稿が載置される原稿載置板と、前記原稿載置板に沿って移動可能であって副走査方向に移動しながら前記原稿を読み取る読取ユニットと、前記読取ユニットを、前記原稿載置板の外側にある原待機位置から副走査方向に移動させて、前記読取ユニットが原稿の全体を含むように定められた範囲であるプレスキャン範囲を読み取るように制御するプレスキャン制御部と、前記プレスキャン制御部の制御によって前記読取ユニットが読み取った読取結果に基づいて前記原待機位置側に配置されている前記原稿の先端位置を検出する検出部と、前記原稿の先端位置に対応するように新待機位置を決定する決定部と、前記読取ユニットを前記新待機位置まで移動させ、前記読取ユニットを前記新待機位置から副走査方向に前記プレスキャン範囲よりも狭く設定されている本スキャン範囲を読み取らせるように制御する本スキャン制御部と、前記読取ユニットが前記本スキャン範囲を読み取った読取結果に基づいて、印刷対象である媒体に前記原稿の画像を印刷する印刷部と、を備え、前記読取ユニットが前記本スキャン範囲を読み取った読取結果に基づいて、前記印刷部に前記原稿の画像を前記媒体の一種である円盤状記録媒体のレーベル面に印刷させる本印刷モードと、前記本印刷モードの前に、前記読取ユニットが前記本スキャン範囲を読み取った読取結果に基づいて、前記印刷部に前記原稿の画像を前記媒体の一種である紙媒体に印刷させる仮印刷モードとを設定する設定部を備え、前記本スキャン制御部は、前記設定部によって前記仮印刷モードが設定された場合、前記読取ユニットが前記本スキャン範囲を読み取り終えた後、前記読取ユニットを前記新待機位置に移動させ、前記設定部によって本印刷モードが設定された場合、前記読取ユニットが前記本スキャン範囲を読み取り終えた後、前記原待機位置に移動させることを特徴とする。
【００１０】
前記プレスキャン制御部は、前記読取ユニットを、前記プレスキャン範囲を読み取り終えた読取完了位置で待機させ、前記本スキャン制御部は、前記決定部が前記新待機位置を決定した後に、前記読取ユニットを前記読取完了位置から前記新待機位置まで移動させてもよい。
【００１１】
前記検出部は、原稿載置上における原稿の載置位置を検出し、更に、前記検出部が検出した前記原稿の載置位置に基づいて、前記読取ユニットが前記プレスキャン範囲で読み取った読取結果から前記原稿の画像を抽出する抽出部と、前記抽出部で抽出された前記原稿の画像を表示する表示部と、前記表示部の表示に基づいて前記本スキャン範囲を設定する設定部と、を備えてもよい。
【００１２】
前記検出部が、前記読取ユニットの読取結果から前記原稿のエッジを抽出し、その抽出結果に基づいて前記先端位置を検出してもよい。
【００１３】
【００１４】
【００１５】
なお、本発明は、画像読取装置、印刷装置又はこれらの方法の機能を実現するためのコンピュータプログラム、そのコンピュータプログラムを記録した記録媒体等の種々の態様で実現することができる。
【発明の効果】
【００１６】
本発明によれば、本スキャンに要する時間を短縮可能な画像読取技術を用いた印刷装置を提供できる。
【図面の簡単な説明】
【００１７】
【図１】実施形態１の複合機１における外観図
【図２】実施形態１の複合機１におけるブロック図
【図３】複合機において実行されるレーベル印刷処理の内容を示すフローチャート
【図４】読取ユニットの待機位置及び移動方向を模式的に表した説明図
【図５】プレ画像を表示する表示部の平面図
【図６】読取ユニットの待機位置及び移動方向を模式的に表した説明図
【図７】複合機において実行されるレーベル印刷処理の内容を示すフローチャート
【図８】実施形態２における読取ユニットの待機位置及び移動方向を模式的に表した説明図
【発明を実施するための形態】
【００１８】
＜実施形態１＞
（外観的構成）
実施形態１を、図１ないし図６を参照しつつ説明する。なお、本実施形態では、本発明の画像読取装置を複合機１に適用した場合を例に挙げて説明する。図１は、実施形態１の複合機１における外観図である。図１に示されるように、複合機１は、主として、下部に設けられる印刷部５と、上部に設けられる読取部６と、正面上部に設けられる操作パネル部９とを備えている。この複合機１は、プリンタ機能、スキャナ機能、コピー機能等を備えた所謂、多機能周辺装置である。特に、この複合機１は、ＣＤ、ＤＶＤ、Ｂｌｕ−ｒａｙ（登録商標）等の円盤状記録媒体Ｄのレーベル面に、原稿から読み取った画像を印刷するレーベル印刷機能を有する。
【００１９】
（ブロック図）
図２は、実施形態１の複合機１におけるブロック図である。図２に示されるように、複合機１は、主として、制御部１０と、印刷部５と、読取部６と、表示部７及び入力部８を含む操作パネル部９とを備えており、これらはバスラインを介して互いに接続されている。
【００２０】
制御部１０（プレスキャン制御部、本スキャン制御部、検出部、検定部、抽出部の一例）は、ＣＰＵ２、ＲＡＭ３、ＲＯＭ４等から構成されており、複合機１の各部を制御する。
【００２１】
ＲＯＭ（リード・オンリー・メモリ）４には、この複合機１における動作制御のための制御プログラム等のディジタル情報が格納されている。制御部１０のＣＰＵ（中央処理装置）２がＲＯＭ４内の制御プログラムを実行することにより、複合機１の各部における制御が実現される。
【００２２】
ＲＡＭ（ランダム・アクセス・メモリ）３は、各種データを一時的に記憶するための記憶手段であり、また制御プログラムの実行の際にはワークメモリとしても用いられる。
【００２３】
読取部６は、図１及び図２に示されるように、原稿載置板６１と、原稿載置板６１上に載置されている原稿を走査（スキャン）して画像を読み取る読取ユニット６２と、読取ユニット６２を原稿載置板６１に沿って移動させる搬送ユニット６６等を備える。
【００２４】
原稿載置板６１は、矩形状の透明なガラス製の板からなり、その短辺方向（図１における前後方向）に主走査方向が設定され、その長辺方向（図１における左右方向）に副走査方向が設定されている。原稿載置板６１の上に、読取対象である原稿Ｐが載置される。原稿９は、表面（読取対象面）が原稿載置板６１の表面と向かい合うように載置される。
【００２５】
読取ユニット６２は、コンタクトイメージセンサ（ＣＩＳ）からなり、原稿載置板６１の裏面側に設けられている。読取ユニット６２は、搬送ユニット６６によって搬送されて、副走査方向に沿って往復移動する。搬送ユニット６６は駆動源としてのモータを備えており、そのモータが制御部１０によって制御されて、読取ユニット６２が上記のように副走査方向に沿って移動する。
【００２６】
また、読取ユニット６２は、制御部１０による制御の下、副走査方向に移動しながら原稿載置板６１上の原稿Ｐを読み取る。原稿Ｐを読み取る際、読取ユニット６２は、原稿載置板６１の裏面側から原稿載置板６１越しに読み取る。
【００２７】
読取ユニット６２は、原稿画像をライン毎に読み取り、その読み取り画像をライン画像信号として出力する。その出力されたライン画像信号は、Ａ／Ｄ変換器によって、ディジタルデータからなる画像データに変換される。変換後に得られた画像データは、シェーディング処理等の画像処理が施され、その後ＲＡＭ３へ格納される。
【００２８】
読取ユニット６２は、原稿Ｐの読み取りを開始する前は、原稿載置板６１の外側に設けられている待機位置Ｌ０で待機している。そして原稿Ｐの読み取りを開始すると、読取ユニット６２は、原稿載置板６１の先端位置Ｌ１から後端位置Ｌ２に向かって移動する。
【００２９】
本実施形態の複合機１には、原稿載置板６１における１つの角（隅）を原点Ｏ、主走査方向（短辺方向）をＸ軸、副走査方向（長辺方向）をＹ軸としたＸＹ座標系が導入されている。したがって、読取ユニット６２が読み取った画像（画像データ）に含まれている画素は、ＸＹ座標系で表現される。ＣＰＵ２は、このＸＹ座標系を用いて、各データの処理を実行する。
【００３０】
なお、読取ユニット６２が原稿Ｐを走査する際、原稿載置板６１には、開閉式の蓋６３が被せられる。原稿載置板６１は、図１に示されるように、原稿台６４の上面中央に配置されている。
【００３１】
印刷部５は、インクジェット方式のプリンタで構成されており、制御部１０による制御の下、読取ユニット６２（読取部６）が原稿から取得した画像を、円盤状記録媒体Ｄのレーベル面に印刷する。図１に示されるように、印刷対象側の円盤状記録媒体Ｄは、印刷部５が備える所定のトレイ７１に載置される。トレイ７１には、円形状の窪み７２が設けられており、この窪み７２内に円盤状記録媒体Ｄが嵌め込まれた状態で、そのレーベル面に原稿から読み取られた画像が印刷される。
【００３２】
また、印刷部５は、原稿から取得した画像を、円盤状記録媒体Ｄのレーベル面に印刷する前に、試験的に、紙媒体に印刷する機能を備えている。ユーザは、試験的に紙媒体に画像を出力することによって、原稿画像の位置ずれ等を確認できる。
【００３３】
操作パネル部９は、ユーザに対して各種情報を表示する表示部７と、ユーザからの各種指示を受け付ける入力部８とから構成される。具体的には、表示部７は、液晶パネルからなり、入力部８は、液晶パネルを利用したタッチパネルと、機械式の入力ボタン（操作キー）８０（図１参照）等からなる。入力部８として利用されるタッチパネルは、投影型静電容量方式、抵抗膜方式等の公知のものからなり、ユーザのタッチ位置を検出して、その検出結果を制御部１０に出力する。制御部１０は、その出力結果に関連付けられた処理を実行する。
【００３４】
（レーベル印刷処理）
上記のように構成された複合機１は、読取ユニット６２（読取部６）を利用して原稿（例えば、ＣＤのレーベル面）Ｐから画像を読み取り、その読み取った画像を、印刷部５を利用して、円盤状記録媒体（例えば、ＣＤ−Ｒ）Ｄのレーベル面に印刷するレーベル印刷処理を実行する。
【００３５】
図３は、複合機において実行されるレーベル印刷処理の内容を示すフローチャートである。図３を参照しつつ、レーベル印刷処理の内容を説明する。
【００３６】
図３のＳ１０１に示されるように、先ず複合機１において原稿Ｐのプレスキャンが実行される。ユーザは、入力部８を介して制御部１０にプレスキャンモードの実行を指示する。指示を受け付けた制御部１０は、予め定められているプレスキャン範囲を読み取るように、読取ユニット６２及び搬送ユニット６６をそれぞれ制御する。前記プレスキャン範囲は、原稿載置板６１の全面を読み取るように設定されている。このプレスキャンによって、原稿Ｐ全体を含んだ画像が得られる。
【００３７】
図４は、読取ユニットの待機位置及び移動方向を模式的に表した説明図である。図４の左端には、プレスキャン時に読取ユニット６２が移動する様子が矢印Ａ１を用いて示されている。プレスキャン実行前の読取ユニット６２は、原稿載置板６１の外側に設けられている待機位置（原待機位置）Ｌ０で待機しており、その後、読取ユニット６２は、制御部１０からのプレスキャン実行の指示を受け付けると、待機位置Ｌ０から原稿載置板６１に向かって進行する。そして、読取ユニット６２は、原稿載置板６１の先端位置Ｌ１からその後端位置Ｌ２まで移動しつつ、プレスキャン範囲Ｓ１を読み取る。読取ユニット６２が読み取った結果から、制御部１０は、原稿Ｐの画像を含んだ画像データ（以下、プレ画像データ）を生成する。
【００３８】
図３のＳ１０２に示されるように、制御部１０による制御の下、原稿位置検出が実行される。具体的には、前記プレ画像データに基づいて、エッジ検出処理が実行されて、原稿の先端位置が検出される。つまり、前記プレ画像データから原稿の輪郭（エッジ）が抽出され、その抽出結果に基づいて、原稿の先端位置が検出される。原稿の先端位置とは、原稿の輪郭（エッジ）のうち、最も原待機位置Ｌ０側に配置している部分に対応する。検出された原稿の先端位置に関する情報は、ＲＡＭ３に記憶される。なお、エッジ検出処理を実行する前に、予めプレ画像データに対してエッジ強調処理を実行し、更に、その強調処理後のプレ画像データに対して２値化処理を実行してもよい。
【００３９】
次いで、図３のＳ１０５に示されるように、制御部１０による制御の下、検出された原稿の先端位置情報に基づいて、読取ユニット６２の新待機位置が設定される。本実施形態において、制御部１０は、原稿の先端位置に対応するように、新待機位置を設定する。なお、図４において、原稿Ｐの先端位置は、符号Ｌ３で示される。つまり、新待機位置も符号Ｌ３で示される。
【００４０】
次いで、図３のＳ１０６に示されるように、プレスキャン後の読取ユニット６２が、新待機位置Ｌ３まで移動する。つまり、プレスキャン後の読取ユニット６２は、原稿載置板６１の後端Ｌ２で折り返して、新待機位置Ｌ３まで移動する。図４において、プレスキャン後に新待機位置Ｌ３まで読取ユニット６２が移動する様子が矢印Ａ２を用いて示されている。なお、このような読取ユニット６２の移動は、制御部１０によって制御される。制御部１０は、待機位置決定部２３から新待機位置の情報を取得し、その新待機位置の情報に基づいて、搬送ユニット６６を駆動させて、読取ユニット６２を原稿の後端位置から新待機位置まで移動させる。
【００４１】
なお、他の実施形態においては、プレスキャン後の読取ユニット６２を、原稿の後端位置（読取領域の終端位置）で待機させてもよい。そして、新待機位置Ｌ３が決定した後に、読取ユニット６２を原稿載置板６１の後端位置から動かし始めて、新待機位置Ｌ３まで移動させてもよい。
【００４２】
ところで、図３のＳ１０３に示されるように、表示部７に印刷領域が表示される。表示部７には、Ｓ１０２において検出された原稿の先端位置情報に基づいて、プレ画像データに基づく画像（プレ画像）が表示される。プレ画像データ等に基づく画像の表示制御は、制御部１０において行われる。プレ画像データは、上述したように原稿載置板６１の全面に対応しており、原稿画像以外の画像も含まれている。そのため、前記原稿先端位置情報を利用して、制御部１０は、プレ画像データの中から、前記原稿の画像を抽出している。そして、その抽出された原稿画像が表示部７に表示される。
【００４３】
図５は、プレ画像を表示する表示部７の平面図である。図５に示されるように、四角形状の枠で囲まれた表示領域７４内にプレ画像Ｍが表示されている。そして、その表示領域７４内に、円環状の枠（トリミング枠）７５が表示されている。枠７５は、大円枠７５Ａと小円枠７５Ｂとからなり、これらの間で挟まれた部分が印刷領域に対応する。そして前記枠７５で囲まれた範囲の画像が、プレ画像データ全体に対応するプレ画像から切り取られ、その切り取られた範囲に対応する画像が、円環状記録媒体、紙媒体等に印刷される。
【００４４】
なお、表示部７に表示される枠７５は、印刷対象である円盤状記録媒体のレーベル面の大きさ（範囲）に基づいて定められる。つまり、レーベル面に設けられている円環状印刷領域に対応するように、枠７５の大きさ等が設定されている。この枠７５に関する情報は、予めＲＯＭ４に記憶されている。
【００４５】
図５に示されるように、表示部７には、表示領域７４に表示されているプレ画像Ｍの表示位置及び表示範囲を変更するための指示を受け付ける変更表示７３が示されている。変更表示７３は、タッチパネル上に配置されており、ユーザが変更表示７３に触れることによって、プレ画像Ｍの表示位置が移動（変更）し、又は表示範囲が拡大等するように構成されている。
【００４６】
図３のＳ１０４に示されるように、制御部１０による制御の下、印刷領域の設定及び読取領域の設定が実行される。印刷領域は、図５に示される枠７５で囲まれた範囲に対応する。そして、読取領域は、四角形状の枠で囲まれた表示領域７４に対応する。印刷領域は、表示部７に表示されているプレ画像Ｍと、枠７５との相対的な配置関係をユーザが適宜、調整した上で、設定される。なお、印刷領域が設定された際に、表示領域７４内に表示されている範囲が読取領域として設定される。
【００４７】
次いで、図３のＳ１０７に示されるように、本印刷処理又は仮印刷処理の選択が行われる。具体的には、ユーザが、入力部８を介して制御部１０に本印刷モードの実行、又は仮印刷モードの実行を指示する。なお、「本印刷処理」では、前記設定部２５で設定された読取領域に対応する範囲で、原稿載置板６１上における原稿Ｐが読取ユニット６２によって読み取られ、その読取結果から、制御部１０において設定された印刷領域に対応する範囲の画像が、円環状記録媒体のレーベル面に印刷される。これに対して、「仮印刷処理」では、「本印刷処理」と同様、前記設定部２５で設定された読取領域に対応する範囲で、原稿載置板６１上における原稿Ｐが読取ユニット６２によって読み取られる。但し、その読取結果から、制御部１０において設定された印刷領域に対応する範囲の画像が、円環状記録媒体ではなく、紙媒体等の他の媒体に印刷される。
【００４８】
Ｓ１０７において、ユーザが、入力部８を介して制御部１０に本印刷モードの実行を指示した場合、指示を受け付けた制御部１０は、本印刷用の本スキャン範囲を読み取るように、読取ユニット６２及び搬送ユニット６６をそれぞれ制御する（図３のＳ１０８参照）。本印刷用の本スキャン範囲は、Ｓ１０４において設定された読取領域に対応するように設定される。図４において、本印刷用の本スキャン範囲（読取領域）が符号Ｓ２で示されている。
【００４９】
本印刷用の本スキャン時において、読取ユニット６２は、新待機位置Ｌ３から原稿の後端Ｌ２側に向かって移動し、原稿Ｐを読み取る。図４において、本スキャン時に新待機位置Ｌ３から本スキャン範囲Ｓ２の終端まで読取ユニット６２が移動する様子が矢印Ａ３を用いて示されている。読取ユニット６２は、本スキャン範囲Ｓ２を読み取り終えた後、読取完了位置（本スキャン範囲の終端）から折り返して待機位置Ｌ０まで移動し、そこで待機する。図４において、読取完了位置から待機位置Ｌ０まで読取ユニット６２が移動する様子が矢印Ａ４を用いて示されている。
【００５０】
つまり、プレスキャンに続いて、本スキャンを行う場合に、読取ユニット６２は、待機位置Ｌ０ではなく、新待機位置Ｌ３から始動して、原稿Ｐの読み取りを開始することになる。そのため、本実施形態では、読取ユニット６２がプレスキャン後に、新待機位置Ｌ３から待機位置Ｌ０（又は原稿載置板６１の先端位置）まで戻る時間（又は距離）と、待機位置Ｌ０から新待機位置Ｌ３まで移動する時間（又は距離）とが不要となり、本スキャンに要する時間を短縮できる。
【００５１】
また、本実施形態では、ＣＤ、ＤＶＤ等の原稿Ｐが原稿載置板６１のどの辺りに載置されても、原稿Ｐの先端位置を検出することができる。そのため、待機位置Ｌ０よりも原稿Ｐの近くに、本スキャン用の新しい待機位置を設定できる。特に、本実施形態では、上述したように、プレ画像データに基づいてエッジ検出処理を行い、その結果から原稿Ｐの先端位置を検出している。そのため、原稿Ｐの先端位置を正確に特定することができる。
【００５２】
図３のＳ１０９に示されるように、本印刷用の本スキャン終了後、本印刷処理が実行される。本印刷処理では、本印刷用の本スキャン範囲で読み取った画像から印刷領域が切り取られて、その切り取られた部分に対応する画像が、円盤状記録媒体のレーベル面に印刷される。
【００５３】
これに対して、Ｓ１０７において、ユーザが、入力部８を介して制御部１０に仮印刷モードの実行を指示した場合、指示を受け付けた制御部１０は、仮印刷用の本スキャン範囲を読み取るように、読取ユニット６２及び搬送ユニット６６をそれぞれ制御する（図３のＳ１１０）。仮印刷用の本スキャン範囲は、Ｓ１０４において設定された読取領域に対応するように設定される。
【００５４】
図６は、読取ユニットの待機位置及び移動方向を模式的に表した説明図である。図６には、プレスキャン後に、本印刷処理を実行する前に、仮印刷処理を実行した場合の読取ユニットの待機位置及び移動方向が示されている。図６において、プレスキャン時の読取ユニット６２の移動は矢印Ａ１で示され、プレスキャン後の読取ユニット６２の移動は矢印Ａ２で示されている。
【００５５】
仮印刷用の本スキャン時において、読取ユニット６２は、新待機位置Ｌ３から原稿の後端Ｌ２側に向かって移動し、原稿Ｐを読み取る。図６において、本スキャン時に新待機位置Ｌ３から本スキャン範囲の終端まで読取ユニット６２が移動する様子が矢印Ａ５を用いて示されている。読取ユニット６２は、本スキャン範囲Ｓ２を読み取り終えた後、読取完了位置（本スキャン範囲の終端）から折り返して再び、新待機位置Ｌ３まで移動して、そこで待機する。図６において、読取完了位置から新待機位置まで読取ユニット６２が移動する様子が符号Ａ６で示されている。
【００５６】
つまり、プレスキャンに続いて、仮印刷用の本スキャンを行う場合にも、読取ユニット６２は、待機位置Ｌ０からではなく、新待機位置Ｌ３から始動して、原稿Ｐの読み取りを開始することになる。そのため、本実施形態では、読取ユニット６２がプレスキャン後に、新待機位置Ｌ３から待機位置Ｌ０（又は原稿載置板６１の先端位置）まで戻る時間（又は距離）と、待機位置Ｌ０から新待機位置Ｌ３まで移動する時間（又は距離）とが不要となり、本スキャンに要する時間を短縮できる。
【００５７】
そして、図３のＳ１１１に示されるように、仮印刷用の本スキャン終了後、仮印刷処理が実行される。仮印刷処理では、仮印刷用の本スキャン範囲で読み取った画像から印刷領域が切り取られて、その切り取られた部分に対応する画像が、紙媒体に印刷される。
【００５８】
仮印刷処理終了後、再び、図３のＳ１０３に戻り、表示部７に印刷領域が表示される。ただし、仮印刷処理終了後、表示部７の表示領域７４に表示される内容は、仮印刷用の本スキャン範囲で読み取られた画像データ（本画像データ）に対応する画像である。そして、プレスキャン後のＳ１０４において印刷領域及び読取領域を設定した時に、表示部７に表示されていたプレ画像に対応するように、前記本画像データに基づく画像が、新たに表示部７に表示される。
【００５９】
そして、仮印刷終了後のＳ１０４において、再び、印刷領域の設定及び読取領域の設定が行われる。
【００６０】
その後、Ｓ１０７において、再び、本印刷処理又は仮印刷処理の選択が行われる。２回目のＳ１０７において、ユーザが、入力部８を介して制御部１０に本印刷モードの実行を指示した（図３参照）場合、指示を受け付けた制御部１０は、本印刷用の本スキャン範囲を読み取るように、読取ユニット６２及び搬送ユニット６６をそれぞれ制御する（図３のＳ１０８参照）。本印刷用の本スキャン範囲は、２回目のＳ１０４において設定された読取領域に対応するように設定される。図６において、本印刷用の本スキャン範囲（読取領域）が符号Ｓ３で示されている。
【００６１】
本印刷用の本スキャン時において、読取ユニット６２は、新待機位置Ｌ３から原稿の後端Ｌ２側に向かって移動し、原稿Ｐを読み取る。図６において、本スキャン時に新待機位置Ｌ３から本スキャン範囲の終端まで読取ユニット６２が移動する様子が矢印Ａ７を用いて示されている。読取ユニット６２は、本スキャン範囲Ｓ３を読み取り終えた後、読取完了位置（本スキャン範囲の終端）から折り返して待機位置Ｌ０まで移動し、そこで待機する。図６において、読取完了位置から待機位置Ｌ０まで読取ユニット６２が移動する様子が矢印Ａ７を用いて示されている。
【００６２】
つまり、仮印刷用の本スキャンに続いて、本印刷用の本スキャンを行う場合に、読取ユニット６２は、待機位置Ｌ０ではなく、新待機位置Ｌ３から始動して、原稿Ｐの読み取りを開始することになる。そのため、本実施形態では、読取ユニット６２が仮印刷用の本スキャン後に、新待機位置Ｌ３から待機位置Ｌ０（又は原稿載置板６１の先端位置）まで戻る時間（又は距離）と、待機位置Ｌ０から新待機位置Ｌ３まで移動する時間（又は距離）とが不要となり、仮印刷後に実施される本印刷用の本スキャンに要する時間を短縮できる。
【００６３】
なお、図３のＳ１０９に示されるように、本印刷用の本スキャン終了後、本印刷処理が実行される。本印刷処理では、本印刷用の本スキャン範囲で読み取った画像から印刷領域が切り取られて、その切り取られた部分に対応する画像が、円盤状記録媒体のレーベル面に印刷される。
【００６４】
＜実施形態２＞
以下、図７及び図８を参照しつつ、実施形態２の複合機におけるレーベル印刷処理の内容を説明する。図７は、実施形態２の複合機において実行されるレーベル印刷処理の内容を示すフローチャートである。図８は、実施形態２における読取ユニットの待機位置及び移動方向を模式的に表した説明図である。
【００６５】
なお、本実施形態の複合機１の基本的な構成は、実施形態１のものと同様である。ただし、本実施形態では、プレスキャン後における読取ユニット６２の待機位置が、実施形態１の場合と異なるように構成されている。
【００６６】
図７のＳ２０１に示されるように、先ず複合機１において原稿Ｐのプレスキャンが実行される。本実施形態においても、実施形態１の場合と同様、原稿載置板６１の全面をプレスキャン範囲Ｓ１として読み取るように設定されている。そして、このプレスキャンによって原稿Ｐ全体を含んだ画像が得られる。図８の左端には、プレスキャン時に読取ユニット６２が移動する様子が矢印Ａ１１を用いて示されている。プレスキャン時における読取ユニットの動作は、実施形態１の場合と同様である。
【００６７】
そして、図７のＳ２０２に示されるように、実施形態１の場合と同様、原稿の先端位置が検出される。そして、図７のＳ２０５に示されるように、実施形態１の場合と同様、読取ユニット６２を待機させるための新待機位置が検出された前記原稿の先端位置情報に基づいて設定される。ただし、本実施形態においては、プレスキャン後の読取ユニット６２、原稿載置板６１の後端位置Ｌ２から、原稿載置板６１の先端位置Ｌ１まで移動し、そしてその先端位置Ｌ１で待機する。
【００６８】
そして、図７のＳ２０３に示されるように、実施形態１の場合と同様、印刷領域が表示部７に表示され、そしてその表示に基づいて実施形態１の場合と同様、印刷領域の設定及び読取領域の設定が行われる。その後、Ｓ２０６において本印刷処理（本印刷モード）が選択された場合、実施形態１の場合と同様、本印刷用の本スキャン処理（Ｓ２０７）及び本印刷処理（Ｓ２０８）が行われる。
【００６９】
このようにプレスキャン後に、本印刷処理を行うことも可能であるが、実際には、本印刷処理を行う前に、仮印刷処理を行うことが一般的である。本印刷用の媒体は、ＣＤ、ＤＶＤ等の円盤状記録媒体であり、仮印刷用の媒体（例えば、市販の用紙）と比べて高価である。そのため、本印刷処理において円盤状記録媒体のレーベル面に、画像が位置ずれして印刷される等の印刷ミスを未然に防ぐことが重要となっている。
【００７０】
したがって、通常は、プレスキャン後のＳ２０６（図７参照）では、仮印刷処理が選択されることが多い。Ｓ２０６において仮印刷処理（仮印刷モード）が選択されると、プレスキャン後に、原稿の先端位置Ｌ１で待機していた読取ユニット６２が原稿Ｐ側に向かって移動し始めて、仮印刷用の本スキャン範囲Ｓ２で原稿Ｐを読み取る（Ｓ２０９）。図８において、仮印刷用の本スキャン時において読取ユニット６２が移動する様子が矢印Ａ１３で示されている。そして、読取完了位置（本スキャン範囲Ｓ２の終端）で折り返して、原稿の先端位置に対応するように設定されている新待機位置Ｌ３まで移動し、そこで待機する（図８の矢印Ａ１４参照）。
【００７１】
つまり、本実施形態では、本印刷処理の前に、仮印刷処理が選択されると、仮印刷用の本スキャンが終了した後、次の本スキャンに備えて、読取ユニット６２が新待機位置（Ｌ３）で待機するように設定されている。なお、ここでいう次の本スキャンとしては、仮印刷用の本スキャンの場合と、本印刷用の本スキャンの場合とがある。いずれの場合であっても、読取ユニット６２は、原稿載置板６１上に載置されている原稿Ｐを、再び読み取ることになる。
【００７２】
そのため、上記のように、次の本スキャンに備えて、新待機位置Ｌ３に読取ユニット６２を待機させておけば、１回目の仮印刷用の本スキャン終了後に、新待機位置Ｌ３から原稿載置板６１の先端位置Ｌ１（又は待機位置Ｌ０）まで戻る時間（又は距離）と、次の本印刷用又は仮印刷用の本スキャン時に原稿載置板６１の先端位置Ｌ１（又は待機位置Ｌ０）から新待機位置Ｌ３まで移動する時間（又は距離）が不要となる。したがって、複数回の本スキャンを行う場合、２回目以降の本スキャンに要する時間を短縮できる。
【００７３】
なお、Ｓ２０９において、仮印刷用の本スキャンを終了した後、実施形態１の場合と同様、紙媒体に対して読み取った画像を印刷し、その後、再びＳ２０３に戻って、表示部７に本スキャンで読み取った画像が表示される。
【００７４】
そして、最終的に、本印刷処理が選択されると、読取ユニット６２は、新待機位置Ｌ３から移動し始めて本印刷用の本スキャン範囲（図８のＳ３参照）で原稿Ｐを読み取る（図８のＡ１５参照）。その後、本スキャン範囲Ｓ３の終端で折り返して、待機位置Ｌ０まで移動し、そこで待機する（図８のＡ１６参照）。
【００７５】
＜他の実施形態＞
本発明は上記記述及び図面によって説明した実施形態に限定されるものではなく、例えば次のような種々の態様も本発明の技術的範囲に含まれる。
（１）上記実施形態では、複合機１を用いて説明を行ったが、本発明はこれに限られない。
【００７６】
（２）上記実施形態では、新待機位置を原稿の先端位置に対応するように設定していたが、他の実施形態においては、例えば、新待機位置を、原稿の先端位置から原待機位置側に所定の間隔を置いた所に設定してもよい。
【００７７】
（３）上記実施形態では、プレスキャン時の読取範囲（プレスキャン範囲）が、原稿載置板６１の全面に対応するように設定されていたが、他の実施形態においては、全面に対応していなくてもよい。つまり、少なくとも原稿載置板６１上に載せられている原稿Ｐの全体が読み取られ、そしてその読取結果から原稿の先端位置を検出できるのであれば、プレスキャン時の読取範囲として設定してもよい。
【００７８】
（４）上記実施形態では、読取ユニットで読み取られる原稿Ｐとしては、円盤状記録媒体のレーベル面であったが、他の実施形態においては、写真、印刷物等のその他の媒体であってもよい。
【００７９】
（５）上記実施形態では、読取ユニットは、本スキャン後に、そのスキャン範囲（読取領域）の終端で折り返して、待機位置まで移動していたが、他の実施形態においては、原稿の後端位置まで移動させて、そこで折り返して、待機位置まで移動するようにしてもよい。
【符号の説明】
【００８０】
１：複合機、１０：制御部、２：ＣＰＵ、３：ＲＡＭ、４：ＲＯＭ、５：印刷部、６：読取部、６２：読取ユニット、６６：搬送ユニット、７：表示部、８：入力部、９：操作パネル部、Ｐ：原稿、Ｓ１：プレスキャン範囲、Ｓ２：本スキャン範囲、Ｌ０：原待機位置、Ｌ１：原稿載置板の先端位置、Ｌ２：原稿載置板の後端位置、Ｌ３：新待機位置（原稿の先端位置）、６１：原稿載置板
【図１】
0005824820.tif 000002
【図２】
0005824820.tif 000003
【図３】
0005824820.tif 000004
【図４】
0005824820.tif 000005
【図５】
0005824820.tif 000006
【図６】
0005824820.tif 000007
【図７】
0005824820.tif 000008
【図８】
0005824820.tif 000009